(57)【特許請求の範囲】
【請求項１】
表示部と、
受診者に指導した過去の指導内容を記憶する指導履歴記憶部と、
今回の健診の検査結果に基づく予め定められた複数の指導内容であって、少なくとも複数の上位の指導内容と複数の下位の指導内容とを関係付けて記憶する指導内容記憶部と、
操作部と、前記操作部による指定で、前記複数の上位の指導内容及び前記複数の下位の指導内容をそれぞれ選択的に入力可能な入力画面とを有し、前記検査結果に基づいて受診者に指導する予定の指導内容を入力する入力部と、
前記予定の指導内容と同じ指導内容が前記過去の指導内容の中に有るか否かを判定する指導内容判定部と、
複数の上位の指導内容を配置した前記入力画面を前記表示部に選択可能に表示し、前記操作部の指定により前記上位の指導内容が選択されたとき、前記選択された前記上位の指導内容に関係付けられた前記下位の指導内容を配置した前記入力画面を前記表示部に表示させ、かつ
警告情報を有し、前記予定の指導内容と同じ指導内容が前記過去の指導内容の中に有るとの前記指導内容判定部の判定を受けて、前記警告情報を前記表示部に表示させる表示制御部と、を有する
ことを特徴とする受診者管理情報の表示装置。
【請求項２】
表示部と、
受診者に指導した過去の指導内容を記憶する指導履歴記憶部と、
前記過去の指導内容に類似する類似指導内容を、前記過去の指導内容に関係付けて記憶する指導内容記憶部と、
前記予定の指導内容と同じ指導内容が前記過去の指導内容の中に有るか否かを判定し、
さらに、前記予定の指導内容が前記過去の指導内容と異なると判定した場合に、前記過去の指導内容に関係付けられた前記類似指導内容に前記予定の指導内容が同じであるか否かを判定する指導内容判定部と、
警告情報を有し、前記予定の指導内容と同じ指導内容が前記過去の指導内容の中に有るとの前記指導内容判定部の判定、または前記予定の指導内容が前記類似指導内容に同じであるとの前記指導内容判定部の判定を受けて、前記警告情報を前記表示部に表示させる表示制御部と、を有する
ことを特徴とする受診者管理情報の表示装置。
【請求項３】
前記指導履歴記憶部は、さらに、過去の上位の指導内容、及び前記過去の上位の指導内容に関係付けられた過去の下位の指導内容を記憶し、
前記指導内容記憶部は、さらに、前記過去の上位の指導内容に類似する上位の類似指導内容を、前記過去の上位の指導内容に関係付けて記憶し、及び、前記過去の下位の指導内容に類似する下位の類似指導内容を、前記過去の下位の指導内容に関係付けて記憶し、
前記指導内容判定部は、さらに、前記受診者に指導する予定の上位の指導内容が前記過去の上位の指導内容と異なると判定した場合に、前記過去の上位の指導内容に関係付けられた前記上位の類似指導内容と前記予定の上位の指導内容が同じであるか否かを判定し、及び、前記受診者に指導する予定の下位の指導内容が前記過去の下位の指導内容と異なると判定した場合に、前記過去の下位の指導内容に関係付けられた前記下位の類似指導内容と前記予定の下位の指導内容が同じであるか否かを判定し、
前記表示制御部は、前記予定の上位の指導内容が前記上位の類似指導内容に同じであり、かつ、前記予定の下位の指導内容が前記下位の類似指導内容に同じであるとの前記指導内容判定部の判定を受けて、前記警告情報を前記表示部に表示させる
ことを特徴とする請求項１に記載の受診者管理情報の表示装置。
【請求項４】
表示部と、
受診者に指導した過去の指導内容を記憶する指導履歴記憶部と、
今回の健診の検査結果に基づいて受診者に指導する予定の指導内容を入力する入力部と、
前記予定の指導内容と同じ指導内容が前記過去の指導内容の中に有るか否かを判定する指導内容判定部と、
前記予定の識別情報と同じ指導内容が前記過去の指導内容の中に存在する程度を表す参照情報を求める演算部と、
前記予定の指導内容及び前記参照情報を前記表示部に表示させ、
かつ警告情報を有し、前記予定の指導内容と同じ指導内容が前記過去の指導内容の中に有るとの前記指導内容判定部の判定を受けて、前記警告情報を前記表示部に表示させる表示制御部と、を有する
ことを特徴とする受診者管理情報の表示装置。
【請求項５】
受診者に指導した過去の指導内容を指導履歴記憶部に記憶しておくステップと、
前記過去の指導内容に類似する類似指導内容を前記過去の指導内容に関係付けて指導内容記憶部に記憶しておくステップと、
今回の健診の検査結果に基づいて受診者に指導する予定の指導内容を入力するステップと、
前記予定の指導内容が前記過去の指導内容と同じか否かを指導内容判定部が判定するステップと、
前記予定の指導内容が前記過去の指導内容と同じであるとの前記指導内容判定部の判定を受けて、表示制御部が警告情報を表示部に表示させると共に、前記予定の指導内容を前記指導履歴記憶部に記憶させるか否かを選択するステップと、
前記予定の指導内容が前記過去の指導内容と異なると前記指導内容判定部が判定した場合に、前記過去の指導内容に関係付けられた前記類似指導内容と前記予定の指導内容が前記類似指導内容と同じか否かを前記指導内容判定部が判定するステップと、
前記予定の指導内容が前記類似指導内容と同じであるとの前記指導内容判定部の判定を受けて、前記表示制御部が警告情報を前記表示部に表示させると共に、前記予定の指導内容を前記指導履歴記憶部に記憶させるか否かを選択するステップと、を有する
ことを特徴とする受診者管理情報の表示方法。
【発明の詳細な説明】
【技術分野】
【０００１】
本発明は、受診者に対する健康指導の支援に供するために、受診者が受けた健診の検査結果に対する指導内容を表示する受診者管理情報の表示装置及び受診者管理情報の表示方法に関する。
【背景技術】
【０００２】
現在、各回の健診において、健診を受けた受診者の検査結果が危険値を超え、また危険値に近いとの判定情報が得られる。この判定情報を基にした健康指導が毎回定期的に行われている。
【０００３】
この健康指導では、単に、受診者の検査結果から得られた判定情報に基づき健康指導を行うため、健診の度に受診者の検査結果が同じ場合に同じ指導内容が行われる。この場合、同じ指導を毎回続けてしまうので、指導を改善して、指導内容を絞り込む必要があり、また他の指導方法を模索する必要がある。
【０００４】
平成２０年、保険者に対して健診・保健指導が義務化される。さらに数年後に糖尿病予備軍の削減目標の達成度合いに応じて保険者に対する後期高齢者医療制度への支援金の増減が予定されている。
【０００５】
前記削減目標の達成度合いを増し、保険者に対する支援金が増加するように、指導方法を改善し、健康指導の効果を高める以下の提案がなされている。
【０００６】
従来においては、個々の患者に関する診療データが保存され、入力画面の入力枠に過去の診療データを表示するときに、過去の診療データを表示した入力枠や入力枠の背景を特別な色で表示する技術が提案されている（例えば、特許文献１及び特許文献２）。
【０００７】
また、患者識別情報及び使用者識別情報を入力するための入力手段を有し、入力された使用者識別情報から電子カルテ編成情報を抽出し、入力された患者識別情報に関連付けられた患者情報を、電子カルテ編成情報に応じた患者情報としての電子カルテ情報を作成し、作成れた電子カルテ情報を表示手段に表示させる技術が提案されている（例えば、特許文献３）。
【０００８】
さらに、受診者の識別子の入力をクライアント装置経由で受け付け、受診者に対する健診結果データ及び属性データを各データベースから取得し、出力する技術が提案されている（例えば、特許文献４）。
【０００９】
【特許文献１】特開２００１−１６０１１０号公報
【特許文献２】特開２００１−１６０１１２号公報
【特許文献３】特開２００５−２５０７１３号公報
【特許文献４】特開２００７−４７９７９号公報
【発明の開示】
【発明が解決しようとする課題】
【００１０】
しかしながら、上記特許文献１及び上記特許文献２に記載された技術では、入力画面の入力枠や入力枠の背景を特別な色で単に表示するだけであり、過去の診療データと同じ診療データを入力することを指導者に対し確実に示唆するものでなく、指導内容の変更を促すための十分な技術ではないという問題点があった。
【００１１】
また、上記特許文献３に記載された技術では、受診者に対する健康指導においては、複数人の指導者で手分けして多数の受診者を短時間で行う必要があるため、受診者に対して健診毎に同じ指導者が指導するとは限らない。受診者の検査結果が同じ場合に、異なる指導者から同じような指導内容を受診者が受ける場合が生じ、同じ指導を毎回続けてしまい、指導の改善につながらないという問題点があった。
【００１２】
さらに、上記特許文献４に記載された技術では、例えば、産業医は、受診者に対する健診結果データ及び属性データを各データベースから取得することにより、受診者に対し面談等を行うことなく、迅速な判定が可能となる技術であるが、健診毎に同じ健診結果データを産業医が取得した場合に、同じ指導内容を受診者が受ける場合が生じ、同じ指導を毎回続けてしまい、指導の改善につながらないという問題点があった。
【００１３】
本発明は、上記の問題を解決するものであり、警告画像を表示させることにより、受診者に指導する予定の指導内容が過去の指導内容と同じ場合には同じであることを、指導者に対し確実に示唆することができる受診者管理情報の表示装置及び受診者管理情報の表示方法を提供することを目的とする。
【課題を解決するための手段】
【００１４】
上記課題を解決するため、請求項１に記載の発明は、表示部と、受診者に指導した過去の指導内容を記憶する指導履歴記憶部と、今回の健診の検査結果に基づく予め定められた複数の指導内容であって、少なくとも複数の上位の指導内容と複数の下位の指導内容とを関係付けて記憶する指導内容記憶部と、操作部と、前記操作部による指定で、前記複数の上位の指導内容及び前記複数の下位の指導内容をそれぞれ選択的に入力可能な入力画面とを有し、前記検査結果に基づいて受診者に指導する予定の指導内容を入力する入力部と、前記予定の指導内容と同じ指導内容が前記過去の指導内容の中に有るか否かを判定する指導内容判定部と、複数の上位の指導内容を配置した前記入力画面を前記表示部に選択可能に表示し、前記操作部の指定により前記上位の指導内容が選択されたとき、前記選択された前記上位の指導内容に関係付けられた前記下位の指導内容を配置した前記入力画面を前記表示部に表示させ、かつ警告情報を有し、前記予定の指導内容と同じ指導内容が前記過去の指導内容の中に有るとの前記指導内容判定部の判定を受けて、前記警告情報を前記表示部に表示させる表示制御部と、を有することを特徴とする受診者管理情報の表示装置である。
【００１５】
請求項５に記載の発明は、受診者に指導した過去の指導内容を指導履歴記憶部に記憶しておくステップと、前記過去の指導内容に類似する類似指導内容を前記過去の指導内容に関係付けて指導内容記憶部に記憶しておくステップと、今回の健診の検査結果に基づいて受診者に指導する予定の指導内容を入力するステップと、前記予定の指導内容が前記過去の指導内容と同じか否かを指導内容判定部が判定するステップと、前記予定の指導内容が前記過去の指導内容と同じであるとの前記指導内容判定部の判定を受けて、表示制御部が警告情報を表示部に表示させると共に、前記予定の指導内容を前記指導履歴記憶部に記憶させるか否かを選択するステップと、前記予定の指導内容が前記過去の指導内容と異なると前記指導内容判定部が判定した場合に、前記過去の指導内容に関係付けられた前記類似指導内容と前記予定の指導内容が前記類似指導内容と同じか否かを前記指導内容判定部が判定するステップと、前記予定の指導内容が前記類似指導内容と同じであるとの前記指導内容判定部の判定を受けて、前記表示制御部が警告情報を前記表示部に表示させると共に、前記予定の指導内容を前記指導履歴記憶部に記憶させるか否かを選択するステップと、を有することを特徴とする受診者管理情報の表示方法である。
【発明の効果】
【００１６】
請求項１に係る発明によると、受診者に指導する予定の指導内容と同じ指導内容が過去の指導内容の中に有ると指導内容判定部が判定した場合に、表示部に警告情報を表示させる。それにより、予定の指導内容が過去の指導内容と同じであることを、例えば指導者に対し確実に示唆することが可能となる。
【００１７】
また、請求項５に係る発明によると、受診者に指導する予定の指導内容が過去の指導内容と同じであるとの指導内容判定部が判定した場合に、今回の健診において、過去の指導内容と同じ指導内容を指導履歴記憶部にあえて記憶させ、意図的に同じ指導内容により受診者に指導することが可能となる。
【発明を実施するための最良の形態】
【００１８】
［第１の実施の形態］
（構成）
本発明の第１の実施形態に係る受診者管理情報の表示装置の構成について図１を参照して説明する。図１は、受診者管理情報の表示装置の構成を示すブロック図である。
【００１９】
ある医療保険の事業所内又は医療保険事業を代行する事業所内に設けられた、ローカルエリア・ネットワーク（ＬＡＮ：local area network）には、操作端末であるコンピュータ１０と管理用コンピュータ２０とがそれぞれ接続されている。管理用コンピュータ２０は、データベース３０を管理するサーバである。
【００２０】
コンピュータ１０は、表示制御部１１と記憶部１２と入力部１３と表示部１４とを有している。管理用コンピュータ２０は、データベース３０のデータを取得し、削除し、更新し及び登録するデータ操作部４０と、データを保存する記憶部５０と、データの演算処理を行う演算部６０とを有している。演算部６０は検査結果判定部６１及び指導内容判定部６２を有している。
【００２１】
データベース３０は、団体データ記憶部３１と、個人データ記憶部３２と、受診番号記憶部３３と、健診データ記憶部３４と、健診での各検査項目の判定基準を保存する判定基準記憶部３５と、検査結果に基づく予め定められた複数の指導内容を記憶する指導内容記憶部３６と、前回以前の健診の検査結果に基づいて受診者に指導した過去の指導内容を記憶する指導履歴記憶部３７を有して構成されている。
【００２２】
データ操作部４０は、取得部４１、データベース３０のデータを削除する削除部４２、データを更新する更新部４３、及び登録部４４を有している。
【００２３】
受診者に指導する予定の指導内容を入力するために、次の３つの段階を要する。第１段階で、医療保険の事業者が健診を受ける受診者、受診者が所属する団体、受診者の受診番号、及び受診者の検査結果等を登録する。第２段階で、検査結果及び検査結果の判定情報を表示し、指導開始の入力をする。第３段階で、受診者に指導する予定の指導内容を入力する。
【００２４】
第１段階について、図２から図７を参照にして説明する。第１段階は、さらに、第１−Ａ段階から第１−Ｇ段階までの７つの段階から成る。
【００２５】
第１−Ａ段階では、受診者が団体に所属し、その団体が健診施設（健診センター、病院など）と契約を結ぶ場合に、健診施設は、団体に団体番号を付与する。データ操作部４０の登録部４４は、団体番号毎に、団体名称、住所、電話番号等の団体情報をデータベース３０の団体データ記憶部３１に登録する。団体番号と団体情報との関係を表したテーブルを図２に示す。なお、受診者が団体に所属しない場合でも、登録部４４は、受診者を団体とみなして登録する。
【００２６】
第１−Ｂ段階では、登録部４４は、受診者の個人情報をデータベース３０の個人データ記憶部３２に登録する。受診者に個人番号を付与し、個人番号毎に、氏名、性別、年齢等の個人情報を登録する。個人番号と個人情報との関係を表したテーブルを図３に示す。
【００２７】
第１−Ｃ段階では、登録部４４は、受診者の受診情報をデータベース３０の受診番号記憶部３３に登録する。受診者に受診番号を付与し、受診番号毎に、氏名、性別、年齢、健診日、コース等の受診情報を登録する。受診番号と受診情報との関係を表したテーブルを図４に示す。
【００２８】
第１−Ｄ段階では、登録部４４は、検査項目毎の検査結果をデータベース３０の健診データ記憶部３４に登録する。受診番号毎に、氏名、健診日、身長、体重、腹囲、血圧を登録する。受診番号と検査結果との関係を表したテーブルを図５に示す。
【００２９】
第１−Ｅ段階では、登録部４４は、各検査項目の検査結果の判定基準をデータベース３０の判定基準記憶部３５に登録する。判定番号毎に、判定基準を登録する。判定番号と判定基準との関係を表したテーブルを図６に示す。図６では、判定基準の一例であるメタボリックシンドロームの判定基準を示している。また、図７は、検査分類毎に検査項目を列挙した一例を示す図である。
【００３０】
第１−Ｆ段階では、登録部４４は、判定情報に基づく指導内容をデータベース３０の指導内容記憶部３６に登録する。登録部４４は、判定情報毎に指導内容を登録する。
【００３１】
第１−Ｇ段階では、過去の指導内容である指導１、指導２、…をデータベース３０の指導履歴記憶部３７に登録する。受信番号毎に、過去の指導内容を登録する。過去の指導内容と受診番号との関係を表したテーブルを図６に示す。図６では、指導履歴記憶部３７が過去の指導内容を健診日毎に、フィールドである「指導１」、「指導２」、…に記録していることを示している。なお、健診データ記憶部３４と指導履歴記憶部３７とは同じテーブルとなっているが、異なるテーブルとしても良い。
【００３２】
次に、第２段階について、図８を参照にして説明する。図８は、検査結果及び検査結果の判定情報が配置された画面１３３を示す図である。第２段階は、さらに、第２−Ａ段階から第２−Ｃ段階までの３つの段階から成る。
【００３３】
第２−Ａ段階では、入力部１３が受診者の受診番号を入力する。受診者の受診番号の入力を受けて、コンピュータ１０は、受診者の受診番号を管理用コンピュータ２０に送る。
【００３４】
第２−Ｂ段階では、取得部４１は、受診者の受診番号に基づいて、受診者の検査結果を健診データ記憶部３４から取得する。取得部４１は、判定基準記憶部３５から判定基準を取得する。管理用コンピュータ２０は、受診者の検査結果及び判定基準を取得データ記憶部５１に保存する。
【００３５】
検査結果判定部６１は、判定条件に基づいて各検査項目の検査結果を判定する。例えば、検査結果判定部６１は、検査項目の検査結果がメタボリックシンドロームの条件１及び条件２に該当する場合に、メタボリックシンドロームと判定する。管理用コンピュータ２０は、各検査項目の検査結果及び検査結果の判定情報をコンピュータ１０に送る。
【００３６】
第２−Ｃ段階では、表示制御部１１は、各検査項目の検査結果及び検査結果の判定情報を表示部１４に表示させる。例えば、表示制御部１１は、「受診番号」、「氏名」、「健診日」、「身長」、「体重」、「腹囲」、「血圧」の各検査項目の検査結果、及び「メタボリックシンドローム」の検査結果の判定情報を配した画面１３３を表示部１４に表示させる。画面１３３には、指導入力ボタン１３４が配されている。
【００３７】
図８では、今回の健診の検査項目の一つである「腹囲」の検査結果「８９．３」が表示され、検査結果の判定情報「メタボリックシンドローム」が表示されている。
【００３８】
次に、検査結果判定部６１が行う検査項目の判定について、図４から図６を参照にしてさらに説明する。例えば、図５の受診番号１５の受診者について、図６の判定番号２にある条件を満たしているか判定する際には、検査結果判定部６１は、条件１の「“男性”かつ“腹囲８５ｃｍ以上”」について、氏名を検索キーにして図４の性別の項を検索し、“男”であること、及び図５の腹囲の項が“８５ｃｍ”以上であることを判定する。
【００３９】
また、検査結果判定部６１は、条件２の「“最高（収縮期）血圧１３０ｍｍＨｇ以上”または“最低（拡張期）血圧８５ｍｍＨｇ以上”」について、図５の血圧（Ｈｉｇｈ）の項が“１３０以上”であるかまたは血圧（Ｌｏｗ）の項が“８５以上”であるかを判定する。この例では、メタボリックシンドロームの条件１及び条件を満たしている。検査結果判定部６１は、検査結果をメタボリックシンドロームと判定する。管理用コンピュータ２０は、検査結果の判定情報を判定情報記憶部５２に記憶する。
【００４０】
次に、第３段階について図９を参照にして説明する。図９は、予定の入力内容を入力する前の入力画面１３１を示す図である。第３段階は、さらに、第３−Ａ段階から第３−Ｃ段階までの３つの段階から成る。
【００４１】
第３−Ａ段階では、画面１３３上の指導入力ボタン１３４により、指導開始の入力をする。指導開始の入力を受けて、コンピュータ１０は、検査結果の判定情報を、管理用コンピュータ２０に送る。
【００４２】
第３−Ｂ段階では、取得部４１は、検査結果の判定情報に基づいて、指導内容を指導内容記憶部３６から取得する。管理用コンピュータ２０は、指導内容を。コンピュータ１０に送る。なお、指導内容を、第２−Ｂ段階における検査結果や検査結果と共に取得し、コンピュータ１０に送るようにしてもよい。
【００４３】
第３−Ｃ段階では、表示制御部１１は、指導内容を選択的に入力可能な入力画面を表示部１４に表示させる。例えば、表示制御部１１は、図９に示す入力画面１３１を表示部１４に表示させる。図９に示す入力画面１３１には、判定情報に基づく複数の予定の指導内容が選択的に入力可能に配置されている。
【００４４】
図９に示す入力画面１３１についてさらに説明する。図５のテーブルに、受診番号１の受診者にみられるような、「腹囲」、「血圧（Ｈｉｇｈ）」が登録されているので、表示制御部１１は、その項目を配置した図９に示す入力画面１３１を表示させる。
【００４５】
指導者は、検査結果の判定情報が「異常」である検査項目それぞれに対して指導内容を入力する。指導内容判定部６２は、指導入力後に、過去と同じ指導を選択しているかを図５で検索可能である。図５の例では、指導内容判定部６２は、受診番号１５の受診者が過去に受診番号１０にて受診した際に、指導１にあるように「食事指導（夕食時間）」と同じ指導を受けていることがわかる。
【００４６】
以上の第１段階から第３段階の説明でわかるように、管理用コンピュータ２０は、コンピュータ１０から送られた受診番号や判定情報などの各種の情報に基づいて、一連の処理手順を実行する。この処理手順は、プログラムにまとめられ、管理用コンピュータ２０の例えばＲＯＭに保存されている。このプログラムは、コンピュータ１０から呼び出し命令を送信することで、管理用コンピュータ２０内でその処理を実行する。
【００４７】
以上の第１段階から第３段階を経て、受診者に指導する予定の指導内容を入力可能となる。
【００４８】
本実施形態において、受信者管理情報の表示装置１は、今回の健診の検査結果に基づいて受診者に指導する予定の指導内容を入力する入力部１３と、モニタである表示部１４と、過去の指導内容を記憶する指導履歴記憶部３７と、受診者に指導する予定の指導内容と同じ指導内容が過去の指導内容の中に有るか否かを判定する指導内容判定部６２と、予定の指導内容と同じ指導内容があるとの指導内容判定部６２の判定を受けて、警告情報を表示部１４に表示させる表示制御部１１とを有している。
【００４９】
入力部１３は、操作部１３２と、操作部１３２による指示で、複数の指導内容を選択的に入力可能な入力画面１３１とを有している。操作部１３２は、キーボードやマウスなどの入力装置である。入力画面１３１の各所定領域には複数の指導内容が配置されている。
【００５０】
入力部１３は、操作部１３２による入力画面１３１の所定領域の指定で、所定領域に配置された予定の指導内容を選択する。表示制御部１１は、入力画面１３１を表示部１４に表示させる。表示制御部１１は、ＣＰＵ、ＲＡＭなどの内部記憶装置及びＨＤＤなどの外部記憶装置から構成されている。
【００５１】
受診者に指導する予定の指導内容を入力した場合について、図９及び図１０を参照にして説明する。図１０は、予定の指導内容１００を入力した後の入力画面１３１を説明した図である。図９及び図１０では、カーソルを矢印で表している。
【００５２】
入力部１３は、予定の指導内容１００が配置された所定領域に操作部１３２であるマウスを用いてカーソルを移動し、マウスをクリックすることにより、所定領域に配置された予定の指導内容１００を選択する。
【００５３】
入力部１３による予定の指導内容１００の入力を受けて、コンピュータ１０が予定の指導内容１００を管理用コンピュータ２０に送る。管理用コンピュータ２０は、予定の指導内容１００を記憶部５０の取得データ記憶部５１に保存する。また、データ操作部４０の取得部４１は、指導履歴記憶部３７から過去の指導内容を取得する。管理用コンピュータ２０は、過去の指導内容を取得データ記憶部５１に保存する。指導内容判定部６２は、予定の指導内容１００と過去の指導内容とが同じか否かを判定する。
【００５４】
ここで、予定の指導内容１００と過去の指導内容とが同じとは、指導内容の意味が同じであることをいう。例えば、指導内容が文字列である場合に、その文字列に含まれているキーワードが同一である場合、又は、キーワードが類似関係にある場合などをいう。
【００５５】
管理用コンピュータ２０は、指導内容判定部６２の判定結果をコンピュータ１０に送る。表示制御部１１は、判定結果に基づいて警告情報１３５を表示部１４に表示させる。記憶部１２は、警告情報１３５を記憶している。図１０は、表示制御部１１が入力画面１３１に警告情報１３５を配置した状態を示している。
【００５６】
表示制御部１１は、警告情報１３５を配したダイアログボックス１３６を表示部１４に表示させる。警告情報１３５は、予定の指導内容１００と過去の指導内容とが同じであることを、表示部１４の画面を看る者が認識可能な情報である。例えば、警告情報１３５は、図１０に示すように、「過去に同じ指導を行っています。2006年：食事指導（夕食時間）」等のテキスト情報である。また、表示制御部１１は、ダイアログボックス１３６上に了承ボタン１３７、再検討ボタン１３８及び保存ボタン１３９を配置した画面を表示部１４に表示させる。
【００５７】
了承ボタン１３７は、それを操作部１３２が指定し入力することで、コンピュータ１０が指導予定の指導内容を記憶部１２に記憶させる。一方、再検討ボタン１３８は、それを操作部１３２が指定し入力することによっては、コンピュータ１０が指導予定の指導内容を記憶部１２に記憶させない。保存ボタン１３９は、それを操作部１３２が指定し入力することで、コンピュータ１０が、記憶部１２に保存されている指導内容を管理用コンピュータ２０に送る。登録部４４は、送られた指導内容を指導履歴記憶部３７に記憶させる。
【００５８】
（動作）
次に、表示装置１の動作について、図１１及び図１２を参照にして説明する。図１１は検査結果の判定をする手順を示すフロー図、図１２は指導内容を入力した場合の手順を示すフロー図である。
【００５９】
前回以前の健診における指導内容（過去の指導内容）は指導履歴記憶部３７に記憶されている。また、今回の健診において、受診者の検査結果は健診データ記憶部３４に記憶されている。
【００６０】
始めに、検査結果の判定手順について図１１を参照にして説明し、次に、指導内容の入力手順について図１２を参照にして説明する。
【００６１】
図１１に示すように、受信者の検査結果を検索する（ステップＳ１０１）。入力部１３は、今回の受診者の受診番号を入力する。コンピュータ１０は、受診番号を管理用コンピュータ２０に送る。データ操作部４０の取得部４１は、受信者の検査結果を健診データ記憶部３４から取得する。また、取得部４１は、判定基準記憶部３５から判定基準を取得する。
【００６２】
次に、検査結果判定部６１が全ての判定を完了したか否かを判断し（ステップＳ１０２）、全ての判定を完了している場合（ステップＳ１０２；Ｙｅｓ）、検査結果の判定を終了する。
【００６３】
全ての判定を完了していない場合に（ステップＳ１０２；Ｎｏ）、検査結果判定部６１は、判定基準に基づいて検査結果を判定する（ステップＳ１０３）。次に、検査結果判定部６１が異常の判定をしたか否かを判断し（ステップＳ１０４）、異常の判定をした場合（ステップＳ１０４；Ｙｅｓ）、判定情報を判定情報記憶部５２に記憶する（ステップＳ１０５）。次に、全ての判定を完了したか否かの判断（ステップＳ１０２）に戻る。
【００６４】
管理用コンピュータ２０は、検査結果及び検査結果の判定情報をコンピュータ１０に送る。コンピュータ１０は、検査結果及び検査結果の判定情報を記憶部１２に保存する。表示制御部１１は、検査結果、検査結果の判定情報及び指導入力ボタン１３４を配置した画面１３３を表示部１４に表示させる。
【００６５】
また、管理用コンピュータ２０は、検査結果の判定情報に基づく、指導内容記憶部３６に記憶された複数の指導内容をコンピュータ１０に送る。コンピュータ１０は、複数の指導内容を記憶部１２に保存する。
【００６６】
さらに、入力部１３は、指導入力ボタン１３４を指定して入力する。表示制御部１１は、複数の指導内容を表示部１４に表示させる（ステップＳ２０１）。
【００６７】
入力部１３が指導内容を選択する（ステップＳ２０２）。コンピュータ１０は、選択された指導内容を管理用コンピュータ２０に送る。管理用コンピュータ２０は、選択された指導内容を記憶部５０に保存する。取得部４１は、受信者（受信番号）の過去の指導内容を指導履歴記憶部３７から取得する（ステップＳ２０３）。管理用コンピュータ２０は、取得した過去の指導内容を取得データ記憶部５１に保存する。
【００６８】
指導内容判定部６２は、選択された指導内容が過去の指導内容と同じか否かを判定する（ステップＳ２０４）。選択された指導内容が過去の指導内容と同じであるとの指導内容判定部６２の判定を受けて（ステップＳ２０４；Ｙｅｓ）、管理用コンピュータ２０が判定結果をコンピュータ１０に送る。
選択された指導内容が過去の指導内容と異なるとの指導内容判定部６２の判定を受けて（ステップＳ２０４；Ｎｏ）、コンピュータ１０は、選択された指導内容を記憶部１２に記憶させる（ステップＳ２０７）。次に、指導内容の選択（ステップＳ２０２）に戻る。
【００６９】
表示制御部１１が警告情報１３５、了承ボタン１３７、再検討ボタン１３８及び保存ボタン１３９を配置した入力画面１３１を表示部１４に表示させる（ステップＳ２０５）。
【００７０】
また、入力部１３が了承ボタン１３７を指定して入力するか、再検討ボタン１３８を指定して入力するかにより、選択された指導内容を指導履歴記憶部３７に記憶させるか否かを選択する（ステップＳ２０６）。この状態を図１０に示す。
【００７１】
了承ボタン１３７を指定して入力すると（ステップＳ２０６；Ｙｅｓ）、コンピュータ１０は、選択された指導内容を記憶部１２に記憶させる（ステップＳ２０７）。それにより、意図的に同じ指導内容により受診者に指導することが可能となる。次に、指導内容の選択（ステップＳ２０２）に戻る。
【００７２】
再検討ボタン１３８を指定して入力すると（ステップＳ２０６；Ｎｏ）、コンピュータ１０は、選択された指導内容を記憶部１２に記憶させない。次に、指導内容の選択（ステップＳ２０２）に戻る。
【００７３】
すべての選択が終了し、保存ボタン１３９を指定し入力すると、コンピュータ１０は、記憶部１２に記憶された指導内容を管理用コンピュータ２０に送り、送られた指導内容を、登録部４４は、指導履歴記憶部３７に記憶させる。
【００７４】
なお、選択された指導内容を指導履歴記憶部３７に記憶させた場合に、この指導内容は過去の指導内容となる。
【００７５】
［第２の実施の形態］
次に、第２の実施形態に係る受診者管理情報の表示装置１の構成について、図１３から図１６を参照にして説明する。なお、第２実施の形態においては、第１の実施形態と異なる構成について説明し、第１の実施形態と同じ構成の説明を省略する。
【００７６】
図１３は上位の指導内容のテーブルを示す図、図１４は中位の指導内容のテーブルを示す図、図１５は下位の指導内容のテーブルを示す図、図１６は予定の指導内容を入力した後の入力画面を示す図である。
なお、指導内容記憶部３６は、上位の指導内容、中位の指導内容及び下位の指導内容を、階層構造（ツリー構造）で保存している。
【００７７】
第１実施の形態では、指導内容記憶部３６は、上位や下位の関係付けをしないで指導内容を記憶したが、第２実施の形態では、指導内容記憶部３６は、少なくとも複数の上位の指導内容と複数の下位の指導内容とを関係付けて記憶する。
【００７８】
また、入力部１３は、操作部１３２と、操作部１３２による指定で、複数の上位の指導内容及び複数の下位の指導内容をそれぞれ選択的に入力可能な入力画面１３１とを有している。
【００７９】
さらに、表示制御部は、複数の上位の指導内容を配置した入力画面１３１を表示部１４に表示可能であり、操作部１３２の指定により上位の指導内容の入力を受けて、入力された上位の指導内容に関係付けられた下位の指導内容を配置した入力画面１３１を表示部１４に表示させる。
【００８０】
次に、図１３から図１６を参照にして、上位、中位及び高位の３つの階層に分けられた指導内容の選択について説明する。
【００８１】
図１３、図１４及び図１５のテーブルにそれぞれ示すように、指導内容記憶部３６は、意味的な階層構造をなす選択肢のリストを記憶する。また、上位、中位及び高位の指導内容は、ＩＤで関係付けられており、上位の指導内容を選択すると、表示制御部１１は、選択された上位の指導内容に関係付けられたそれより下層の指導内容（中位及び下位の指導内容）のみを表示させる。
【００８２】
例えば、図１６の大項目（上位）で「食事指導」を選択すると、取得部４１は、図１３のテーブルにて「食事指導」を検索キーにしてＩＤ＿ＤＡＩ＝００００１を取得し、図１４のテーブルにてＩＤ＿ＤＡＩ＝００００１を検索キーにしてＩＤ＿ＣＨＵが００００１から００００５の行を取得し、管理用コンピュータ２０はコンピュータ１０に中項目の指導内容を送り、表示制御部１１は、指導＿中項目にある文字列を、図１６の指導中項目の選択肢に表示させる。
【００８３】
さらに、図１６の中項目（中位）で「夕食」を選択すると、図１４のテーブルにて「夕食」を検索キーにしてＩＤ＿ＣＨＵ＝００００１を取得し、図１５のテーブルにてＩＤ＿ＣＨＵ＝００００１を検索キーにしてＩＤ＿ＳＹＯが００００１から００００２の行を取得し、管理用コンピュータ２０はコンピュータ１０に小項目の指導内容を送り、表示制御部１１は、指導＿小項目にある文字列を図１６の小項目（下位）の選択肢に表示する。
【００８４】
階層構造になった指導内容を登録するには、例えば、図５の指導３に大項目から順番に制御記号として括弧“［］”でくくり記憶する。例えば、“［食事指導］［夕食］［夜１０時以降とらない］”のようにして記憶する。
【００８５】
このようにして記憶された指導内容を読み出すには、括弧“［］”の順に大項目、中項目、小項目と読み出し、入力された指導内容と同じであるか否かをチェックする。
【００８６】
［第３の実施の形態］
（構成）
次に第３の実施形態に係る受診者管理情報の表示装置１の構成について、図１７から図１９を参照にして説明する。なお、第３の実施形態においても、第１の実施形態と異なる構成について説明し、第１の実施形態と同じ構成の説明を省略する。
【００８７】
図１７は、過去の指導内容と類似指導内容とがパターンデータとして記憶されたことを示す図、図１８は、予定の指導内容を入力した後の入力画面を示す図である。
指導内容記憶部３６は、過去の指導内容に類似する類似指導内容を、過去の指導内容に関係付けて記憶する。
指導内容判定部６２は、さらに、予定の指導内容が過去の指導内容と異なると判定した場合に、過去の指導内容に関係付けた類似指導内容に予定の指導内容が同じであるか否かを判定する。
表示制御部１１は、予定の指導内容が類似指導内容に同じであるとの指導内容判定部の判定を受けて、警告情報１３５を前記表示部に表示させる。
【００８８】
次に、指導内容判定部６２の類似判定について、図１７及び図１８を参照にしてさらに説明する。なお、指導内容記憶部３６は、類似関係にある指導内容をパターンデータとして関係付けて記憶している。
【００８９】
例えば、「夕食は、夜９時半までにとる。」という入力に対して、指導内容記憶部３６の中に少なくとも例えば、図１７に示すようなパターンデータがあった場合に、指導内容判定部６２は、ＣＯＮＴＥＮＴ１とＣＯＮＴＥＮＴ２の組み合わせが同じ又は類似のパターンであり、ＣＯＮＴＥＮＴ１とＣＯＮＴＥＮＴ２にて、「夕食は、夜９時半までにとる。」を検索キーにして対となるデータを取得する。
【００９０】
図１７の例で対となるデータである、「夕食は、夜１０時以降とらない」「夕食は、夜１０時までにとる」「夕食は、夜９時３０分までにとる」を取得データ記憶部５１に記憶させる。指導内容判定部６２は、この対となるデータが過去の指導内容にあるか検索し、図５に示す２００６年の「夕食は、夜１０時以降とらない」を取得する。指導内容判定部６２は、これらの指導内容を同じ又は類似であると判定する。なお、前記対となるデータを、取得部４１が取得するようにしても良い。
【００９１】
（動作）
次に、表示装置１の動作について、図１９を参照にして説明する。図１９は、指導内容を入力した場合の手順を示すフロー図である。第１実施の形態の手順と異なるのは、ステップＳ３０５において、指導内容判定部６２が予定の指導内容と過去の指導内容との類似判定を行う点である。
【００９２】
図１９に示すように、受診者の検査結果の異常判定に基づいて、表示制御部１１は、複数の指導内容を選択的に入力可能に表示させる（ステップＳ３０１）。
入力部１３が指導内容を選択する（ステップＳ３０２）。コンピュータ１０は、選択された指導内容を管理用コンピュータ２０に送る。管理用コンピュータ２０は、選択された指導内容を記憶部５０に保存する。取得部４１は、受信者（受信番号）の過去の指導内容を指導履歴記憶部３７から取得する（ステップＳ３０３）。また、取得部４１は、過去の指導内容と類似する類似指導内容を指導内容記憶部３６から取得する（ステップＳ３０４）。
【００９３】
管理用コンピュータ２０は、取得した過去の指導内容を取得データ記憶部５１に保存する。また、管理用コンピュータ２０は、取得した類似指導内容を取得データ記憶部５１に保存する。
【００９４】
指導内容判定部６２は、選択された指導内容が過去の指導内容と同一又は類似か否かを判定する（ステップＳ３０５）。この同一の判定は、選択された指導内容が過去の指導内容と同一であるか否かの判定であり、類似の判定は、選択された指導内容が類似指導内容と同一であるか否かの判定である。
【００９５】
選択された指導内容が過去の指導内容と同一又は類似であるとの指導内容判定部６２の判定を受けて（ステップＳ３０５；Ｙｅｓ）、管理用コンピュータ２０が判定結果をコンピュータ１０に送る。
【００９６】
選択された指導内容が過去の指導内容と異なるとの指導内容判定部６２の判定を受けて（ステップＳ３０５；Ｎｏ）、コンピュータ１０は、選択された指導内容を記憶部１２に記憶させる（ステップＳ３０８）。次に、指導内容の選択（ステップＳ３０２）に戻る。
【００９７】
表示制御部１１が警告情報１３５、了承ボタン１３７及び再検討ボタン１３８を表示部１４に表示させる（ステップＳ３０６）。
【００９８】
また、入力部１３が了承ボタン１３７を指定して入力するか、再検討ボタン１３８を指定して入力するかにより、選択された指導内容を指導履歴記憶部３７に記憶させるか否かを選択する（ステップＳ３０７）。この状態を図１８に示す。
【００９９】
了承ボタン１３７を指定して入力すると（ステップＳ３０７；Ｙｅｓ）、コンピュータ１０は、選択された指導内容を記憶部１２に記憶させる（ステップＳ３０８）。それにより、意図的に同じ指導内容により受診者に指導することが可能となる。次に、指導内容の選択（ステップＳ３０２）に戻る。
【０１００】
再検討ボタン１３８を指定して入力すると（ステップＳ３０７；Ｎｏ）、コンピュータ１０は、選択された指導内容を記憶部１２に記憶させない。次に、指導内容の選択（ステップＳ３０２）に戻る。
【０１０１】
すべての選択が終了し、保存ボタン１３９を指定し入力すると、コンピュータ１０は、記憶部１２に記憶された指導内容を管理用コンピュータ２０に送り、送られた指導内容を、登録部４４は、指導履歴記憶部３７に記憶させる。
【０１０２】
なお、指導内容の同一又は類似を判定するとき、過去の指導内容と全く同じ文字列であれば、「同じ」の警告情報を表示させ、また、過去の指導内容と全く同じ文字列ではないが、類似指導内容として存在する場合は、「類似」の警告情報を表示させても良い。
【０１０３】
［第４の実施の形態］
（構成）
次に、第４の実施形態に係る受診者管理情報の表示装置１の構成について、図２０から図２２を参照にして説明する。なお、第４の実施形態においても、第１の実施形態と異なる構成について説明し、第の１実施形態と同じ構成の説明を省略する。
【０１０４】
図２０は、過去の指導内容と類似指導内容とがパターンデータとして記憶されていることを示す図、図２１は、予定の指導内容を入力した後の入力画面を示す図である。
【０１０５】
指導履歴記憶部３７は、さらに、過去の上位の指導内容、及び過去の上位の指導内容に関係付けられた過去の下位の指導内容を記憶する。
【０１０６】
指導内容記憶部３６は、さらに、過去の上位の指導内容に類似する上位の類似指導内容を、過去の上位の指導内容に関係付けて記憶し、及び、過去の下位の指導内容に類似する下位の類似指導内容を、過去の下位の指導内容に関係付けて記憶する。
【０１０７】
指導内容判定部６２は、さらに、受診者に指導する予定の上位の指導内容が過去の上位の指導内容と異なると判定した場合に、過去の上位の指導内容に関係付けられた上位の類似指導内容と予定の上位の指導内容が同じであるか否かを判定し、及び、受診者に指導する予定の下位の指導内容が過去の下位の指導内容と異なると判定した場合に、過去の下位の指導内容に関係付けられた下位の類似指導内容と予定の下位の指導内容が同じであるか否かを判定する。
【０１０８】
表示制御部１１は、予定の上位の指導内容が上位の類似指導内容に同じであり、かつ、予定の下位の指導内容が下位の類似指導内容に同じであるとの指導内容判定部の判定を受けて、警告情報１３５を表示部に表示させる。
【０１０９】
次に、階層分けされた指導内容の類似を指導内容判定部６２が判定する場合について、図２０を参照にしてさらに説明する。
【０１１０】
階層構造になった指導内容を登録するには、例えば、図２０の指導３に大項目から順番に制御記号として括弧“［］”でくくり記憶する。例えば、“［食事指導］［夕食］［夜１０時以降とらない］”のようにして記憶する。
【０１１１】
このようにして記憶された指導内容を読み出すには、括弧“［］”の順に大項目、中項目、小項目と読み出し、入力された指導内容と同じであるか否かをチェックする。
【０１１２】
指導内容判定部６２は、例えば、類似の項目が２以上あれば類似と判断し、又、大項目と中項目が同一であれば、小項目が異なる場合であっても類似と判定する。
【０１１３】
（動作）
次に、表示装置１の動作について図２２を参照にして説明する。図２２は、指導内容を入力した場合の手順を示すフロー図である。第３実施の形態の手順と異なるのは、ステップＳ４１０及びＳ４１２において、指導内容判定部６２が指導内容の同一又は類似判定を、上位の指導内容及び上位の指導内容について行う点である。なお、説明の都合上、指導内容を上位と下位との２つに分けたものを例として、以下の手順を説明する。
【０１１４】
前回以前の健診において、受診者に指導をした場合に、入力部１３が受診者に指導する予定の指導内容を入力し、コンピュータ１０は、予定の指導内容を管理用コンピュータ２０に送る。データ操作部４０の登録部４４は、予定の指導内容を指導履歴記憶部３７に登録する。登録された予定の指導内容は過去の指導内容に相当する。
【０１１５】
登録部４４は、指導内容を指導履歴記憶部３７に記憶することで登録する。登録部４４は、過去の上位の指導内容、及び過去の上位の指導内容に関係付けられた過去の下位の指導内容を指導履歴記憶部３７に記憶する（ステップＳ４０１）。
【０１１６】
また、登録部４４は、過去の上位の指導内容に類似する上位の類似指導内容を、過去の上位の指導内容に関係付けて指導内容記憶部３６に記憶する。また、登録部４４は、過去の下位の指導内容に類似する下位の類似指導内容を、過去の下位の指導内容に関係付けて指導内容記憶部３６に記憶する（ステップＳ４０２）。
【０１１７】
入力部１３は、今回の受診者の受診番号を入力する。コンピュータ１０は、受診番号を管理用コンピュータ２０に送る。データ操作部４０の取得部４１は、受信者の検査結果を健診データ記憶部３４から取得する。また、取得部４１は、判定基準記憶部３５から判定基準を取得する。検査結果判定部６１は、判定基準に基づいて検査結果を判定する。管理用コンピュータ２０は、検査結果及び検査結果の判定情報をコンピュータ１０に送る。コンピュータ１０は、検査結果及び検査結果の判定情報を記憶部１２に保存する。表示制御部１１は、検査結果、検査結果の判定情報及び指導入力ボタン１３４を配置した画面１３３を表示部１４に表示させる。
【０１１８】
管理用コンピュータ２０は、検査結果の判定情報に基づく、指導内容記憶部３６に記憶された複数の上位の指導内容及び、各上位の指導内容に関係付けられた下位の指導内容をコンピュータ１０に送る。コンピュータ１０は、複数の上位の指導内容を記憶部１２に保存する。
【０１１９】
入力部１３は、指導入力ボタン１３４を指定して入力する。表示制御部１１は、複数の上位の指導内容を表示部１４に表示させる（ステップＳ４０３）。
【０１２０】
入力部１３は、表示部１４に表示された複数の上位の指導内容の中から１つの上位の指導内容を選択する（ステップＳ４０４）。コンピュータ１０は、選択された上位の指導内容に関係付けられた下位の指導内容を記憶部１２から読み出す（ステップＳ４０５）。
【０１２１】
表示制御部１１は、読み出された複数の下位の指導内容を表示部１４に表示させる（ステップＳ４０６）。
【０１２２】
次に、入力部１３は、表示部１４に表示された複数の下位の指導内容の中から１つの下位の指導内容を選択する（ステップＳ４０７）。
【０１２３】
コンピュータ１０は、選択された上位の指導内容及び下位の指導内容を管理用コンピュータ２０に送る。管理用コンピュータ２０は、選択された上位の指導内容及び下位の指導内容を記憶部５０に保存する。
【０１２４】
取得部４１は、受信者（受信番号）の過去の上位の指導内容及び過去の下位の指導内容を指導履歴記憶部３７から取得する。管理用コンピュータ２０は、取得した過去の上位の指導内容及び過去の下位の指導内容を取得データ記憶部５１に保存する。
【０１２５】
指導内容判定部６２は、選択された上位の指導内容が過去の上位の指導内容と同じか否かを判定する。また、指導内容判定部６２は、選択された下位の指導内容が過去の下位の指導内容と同じか否かを判定する（ステップＳ４０８）。
【０１２６】
選択された上位の指導内容が過去の上位の指導内容と同じであり、かつ、選択された下位の指導内容が過去の下位の指導内容と同じであるとの指導内容判定部６２の判定を受けて（ステップＳ４０８；Ｙｅｓ）、管理用コンピュータ２０が判定結果をコンピュータ１０に送る。
【０１２７】
表示制御部１１が警告情報１３５、了承ボタン１３７及び再検討ボタン１３８を表示部１４に表示させると共に、入力部１３が了承ボタン１３７を指定して入力するか、再検討ボタン１３８を指定して入力するかにより、選択された上位の指導内容及び下位の指導内容を指導履歴記憶部３７に記憶させるか否かを選択する（ステップＳ４０９）。
【０１２８】
了承ボタン１３７を指定して入力すると（ステップＳ４０９；Ｙｅｓ）、コンピュータ１０は、選択された指導内容を記憶部１２に記憶させる（ステップＳ４１５）。それにより、意図的に同じ指導内容により受診者に指導することが可能となる。次に、指導内容の選択（ステップＳ４０４）に戻る。
【０１２９】
再検討ボタン１３８を指定して入力すると（ステップＳ４０９；Ｎｏ）、コンピュータ１０は、選択された指導内容を記憶部１２に記憶させない。次に、指導内容の選択（ステップＳ４０４）に戻る。
【０１３０】
選択された上位の指導内容が過去の上位の指導内容と異なると指導内容判定部６２が判定した場合に（ステップＳ４０８；Ｎｏ）、選択された上位の指導内容が過去の上位の指導内容に関係付けられた上位の類似指導内容と同じか否かを指導内容判定部６２が判定する（ステップＳ４１０）。
【０１３１】
選択された上位の指導内容が上位の類似指導内容と異なる場合に（ステップＳ４１０；Ｎｏ）、コンピュータ１０が、選択された上位の指導内容及び下位の指導内容を記憶部１２に記憶させる（ステップＳ４１１）。その後、指導内容の選択（ステップＳ４０４）に戻る。
【０１３２】
選択された上位の指導内容が上位の類似指導内容と同じ場合に（ステップＳ４１０；Ｙｅｓ）、選択された下位の指導内容が過去の下位の指導内容に関係付けられた下位の類似指導内容と同じか否かを指導内容判定部６２が判定する（ステップＳ４１２）。
【０１３３】
選択された下位の指導内容が下位の類似指導内容と異なると指導内容判定部６２が判定した場合に（ステップＳ４１２；Ｎｏ）、コンピュータ１０が、選択された上位の指導内容及び下位の指導内容を記憶部１２に記憶させる（ステップＳ４１３）。その後、指導内容の選択（ステップＳ４０４）に戻る。
【０１３４】
選択された下位の指導内容が下位の類似指導内容と同じであると指導内容判定部６２が判定した場合に（ステップＳ４１２；Ｙｅｓ）、管理用コンピュータ２０が判定結果をコンピュータ１０に送る。
【０１３５】
表示制御部１１が警告情報１３５、了承ボタン１３７及び再検討ボタン１３８を表示部１４に表示させると共に、入力部１３が了承ボタン１３７を指定して入力するか、再検討ボタン１３８を指定して入力するかにより、選択された上位の指導内容及び下位の指導内容を指導履歴記憶部３７に記憶させるか否かを選択する（ステップＳ４１４）。
【０１３６】
了承ボタン１３７を指定して入力すると（ステップＳ４１４；Ｙｅｓ）、コンピュータ１０は、選択された指導内容を記憶部１２に記憶させる（ステップＳ４１５）。それにより、意図的に同じ指導内容により受診者に指導することが可能となる。次に、指導内容の選択（ステップＳ４０４）に戻る。
【０１３７】
再検討ボタン１３８を指定して入力すると（ステップＳ４１４；Ｎｏ）、コンピュータ１０は、選択された指導内容を記憶部１２に記憶させない。次に、指導内容の選択（ステップＳ４０４）に戻る。
【０１３８】
すべての選択が終了し、保存ボタン１３９を指定し入力すると、コンピュータ１０は、記憶部１２に記憶された指導内容を管理用コンピュータ２０に送り、送られた指導内容を、登録部４４は、指導履歴記憶部３７に記憶させる。
【０１３９】
［第５の実施の形態］
次に、第５の実施形態に係る受診者管理情報の表示装置１の構成について、図２３から図２５を参照にして説明する。なお、第５の実施形態においても、第１の実施形態と異なる構成について説明し、第１の実施形態と同じ構成の説明を省略する。
【０１４０】
図２３は受診番号と検査結果との関係を表したテーブルを示す図、図２４は予定の指導内容の中で過去の指導内容の占める割合を表示した図、図２５は過去の指導内容の占める程度をグラフにした図である。
【０１４１】
第５の実施形態においても、指導内容記憶部３６は、大項目（上位）の指導内容、中項目（中位）の指導内容及び小項目（下位）の指導内容を、階層構造（ツリー構造）で保存している。
【０１４２】
第５実施形態では、受診者に指導する予定の指導内容を選択するときの参照情報であって、予定の識別情報と同じ指導内容が前記過去の指導内容の中に存在する程度を表す参照情報１４１を有する。表示制御部１１は、予定の指導内容及び参照情報１４１を表示部１４に表示させる。
【０１４３】
図２４に示す入力画面１３１は、第３の実施形態で説明した図１６に示す入力画面１３１に対応する。図２４に示す入力画面１３１には、大項目、中項目、小項目に対応して入力ボックス１４２がそれぞれ配置されている。例えば、入力部１３が大項目の入力ボックス１４２を指定すると、表示制御部１１は、大項目の複数の指導内容を表示させる。図２４（ｂ）では、表示制御部１１は、「食事指導」「運動指導」「禁煙指導」の大項目の指導内容が表示させる。
【０１４４】
例えば、入力部１３が、大項目の指導内容「食事指導」、中項目の指導内容「夕食」、小項目の指導内容「夜９時以降とらない」を入力し、また、入力部１３が、大項目の指導内容「運動指導」、中項目の指導内容「徒歩」、小項目の指導内容「毎日２０分」を指定すると、登録部４４は、それらの入力された大項目、中項目、小項目の各指導内容を過去の指導内容として、指導履歴記憶部３７に記録させる。図２３は、大項目、中項目、小項目の各指導内容を過去の指導内容として、指導履歴記憶部３７に記録させた状態を示している。
【０１４５】
図２４（ａ）は、入力部１３が入力ボックス１４２を指定していない状態を示し、図２４（ｂ）は、入力部１３が入力ボックス１４２を指定した状態を示す。図２４（ｂ）に示すように、表示制御部１１は、予定の指導内容が過去の指導内容と同一又は類似するか否かにより、入力ボックス１４２の背景色を異ならせて表示させる。
【０１４６】
また、表示制御部１１は、各入力ボックス１４２に対応して参照情報を表示させる。ここで、参照情報とは、予定の指導内容の中に過去の指導内容と同一又は類似する指導内容が含まれている度合いを表す情報であり、又は、予定の指導内容の中に過去の指導内容と同一又は類似する指導内容が含まれていない度合いを表す情報である。
【０１４７】
図２４（ａ）では、大項目の入力ボックス１４２の横に“２／３”の参照情報１４１を表示させている。これは、３個の予定の指導内容の中に、過去の指導内容と同一又は類似する指導内容が２個含まれていることを表す。
【０１４８】
取得部４１が検査結果の判定情報に基づき予定の指導内容を指導内容記憶部３６から読み出した場合に、その読み出された予定の指導内容に基づき、演算部６０が、大項目、中項目、小項目の各指導内容に対応させた参照情報１４１を算出する。
【０１４９】
なお、図２４では、表示制御部１１は参照情報１４１を数値で表したが、図２５に示すように、グラフで表しても良い。図２５（ａ）及び図２５（ｂ）にそれぞれ示す参照情報１４１は、図２４（ａ）及び図２４（ｂ）にそれぞれ示す参照情報１４１に相当している。
【０１５０】
また、図２４及び図２５では、参照情報１４１を、予定の指導内容の中に過去の指導内容と同一又は類似する指導内容が含まれている度合いとしたが、予定の指導内容の中に過去の指導内容と同一又は類似する指導内容が含まれていない度合いとしても良い。
【０１５１】
以上、第１から第５の実施形態を説明した。これらの実施の形態では、操作部１３２及び表示部１４がコンピュータ１０側にあるものを示したが、操作部１３２及び表示部１４が管理用コンピュータ２０側にあり、管理用コンピュータ２０側の操作部１３２が予定の指導内容を入力しても良く、入力画面１３１を管理用コンピュータ２０側の表示部１４に表示させても良い。
【０１５２】
また、指導内容判定部６２が指導内容の同一又は類似を判定する場合に、指導内容を文字列として比較した。これに限らず、指導内容に識別子を付与し、識別子が同一であるか否か、また、識別子同士が関係付けられているか否かで指導内容判定部６２が指導内容の同一又は類似を判定しても良い。
【０１５３】
さらに、判定基準記憶部３５に記憶された判定基準を基に、検査結果が異常であるか否かを判定したが、例えば、検査結果を判定するためのソースコード上に判定基準を設定しておいても良い。
【０１５４】
さらに、実施形態では、指導内容を上位、中位及び下位の３層に分けたものを示したが、上位及び下位の２層に分けても良く、４層以上に分けても良い。
【０１５５】
さらに、指導内容記憶部３６に記憶された類似指導内容に基づいて、指導内容の類似を判定したが、予め、同義語、類義語、関連語などを登録しておき、それらの語に基づいて、類似判定をしても良い。さらに、類似判定において、トポロジー概念技術を使ったSematics株式会社のPerceptrons Engineを用いたり、あいまい検索を行うインテリシンクのサーバソフト「Indentity System」を用いても良い。
【０１５６】
さらに、前記実施形態では、入力部１３が画面１３３の指導入力ボタン１３４を入力すると、表示制御部１１が画面１３３から入力画面１３１に変更して表示部１４に表示するものを示した。これに限らず、表示制御部１１は、画面１３３及び入力画面１３１を同時に又は切り替えて表示部１４に表示させても良い。それにより、指導者は、画面１３３の検査結果を参考にしつつ、入力画面１３１で指導内容を選択することが可能となる。
【図面の簡単な説明】
【０１５７】
【図１】受診者管理情報の表示装置の構成を示すブロック図である。
【図２】団体番号と団体情報との関係を表したテーブルを示す図である。
【図３】個人番号と個人情報との関係を表したテーブルを示す図である。
【図４】受診番号と受診情報との関係を表したテーブルを示す図である。
【図５】受診番号と検査結果との関係を表したテーブルを示す図である。
【図６】判定番号と判定基準との関係を表したテーブルを示す図である。
【図７】検査分類毎に検査項目を列挙した一例を示す図である。
【図８】検査結果及び検査結果の判定情報が表示された画面を示す図である。
【図９】予定の指導内容を入力する前の入力画面を示す図である。
【図１０】予定の指導内容を入力する後の入力画面を示す図である。
【図１１】検査結果の判定をする手順を示すフロー図である。
【図１２】指導内容を入力した場合の手順を示すフロー図である。
【図１３】第２実施の形態に係る受診者管理情報の表示装置において、上位の指導内容のテーブルを示す図である。
【図１４】中位の指導内容のテーブルを示す図である。
【図１５】下位の指導内容のテーブルを示す図である。
【図１６】予定の指導内容を入力した後の入力画面を示す図である。
【図１７】第３実施の形態に係る受診者管理情報の表示装置において、過去の指導内容と、過去の指導内容に類似する類似指導内容とを関係付けて記憶したことを説明する図である。
【図１８】予定の指導内容を入力した後の入力画面を示す図である。
【図１９】指導内容を入力した場合の手順を示すフロー図である。
【図２０】第４実施の形態に係る受診者管理情報の表示装置において、上位、中位及び下位で、過去の指導内容と、過去の指導内容に類似する類似指導内容とを関係付けて記憶したことを説明する図である。
【図２１】予定の指導内容を入力した後の入力画面を示す図である。
【図２２】指導内容を入力した場合の手順を示すフロー図である。
【図２３】受診番号と検査結果との関係を表したテーブルを示す図である。
【図２４】第５実施の形態に係る受診者管理情報の表示装置において、予定の指導内容の中で過去の指導内容の占める割合を表示した図である。
【図２５】図２４に示す過去の指導内容の占める程度をグラフにした図である。
【符号の説明】
【０１５８】
１  表示装置
１０  コンピュータ
１１  表示制御部
１２  記憶部
１３  入力部
１３１  入力画面
１３２  操作部
１３３  画面
１３４  指導入力ボタン
１３５  警告情報
１３６  ダイアログボックス
１３７  了承ボタン
１３８  再検討ボタン
１３９  保存ボタン
１４  表示部
１４１  参照情報
１４２  入力ボックス
２０  管理用コンピュータ
３０  データベース
３１  団体データ記憶部
３２  個人データ記憶部
３３  受診番号記憶部
３４  健診データ記憶部
３５  判定基準記憶部
３６  指導内容記憶部
３７  指導履歴記憶部
４０  データ操作部
４１  取得部
４２  削除部
４３  更新部
４４  登録部
５０  記憶部
５１  取得データ記憶部
５２  判定情報記憶部
６０  演算部
６１  検査結果判定部
６２  指導内容判定部
１００  予定の指導内容
【図１】
0005072606.tif 000002
【図２】
0005072606.tif 000003
【図３】
0005072606.tif 000004
【図４】
0005072606.tif 000005
【図５】
0005072606.tif 000006
【図６】
0005072606.tif 000007
【図７】
0005072606.tif 000008
【図１１】
0005072606.tif 000009
【図１２】
0005072606.tif 000010
【図１３】
0005072606.tif 000011
【図１４】
0005072606.tif 000012
【図１５】
0005072606.tif 000013
【図１７】
0005072606.tif 000014
【図１９】
0005072606.tif 000015
【図２０】
0005072606.tif 000016
【図２２】
0005072606.tif 000017
【図２３】
0005072606.tif 000018
【図８】
0005072606.tif 000019
【図９】
0005072606.tif 000020
【図１０】
0005072606.tif 000021
【図１６】
0005072606.tif 000022
【図１８】
0005072606.tif 000023
【図２１】
0005072606.tif 000024
【図２４】
0005072606.tif 000025
【図２５】
0005072606.tif 000026